(57)【要約】【課題】  口栓としての変形性を大きくし仕舞い処理を円滑に行える振出竿用口栓を提供する。【解決手段】  穂先竿１、及び、中竿を元竿４に収納した状態でその元竿４の開口を口栓８で閉塞すべく構成する。口栓８をゴム等で形成し、周壁８Ｂと、その周壁８Ｂの軸線方向の一端を閉塞する底壁８Ａと、周壁８Ｂの軸線方向の他端を開口とした筒状体に構成する。口栓８を、収納状態の穂先竿１、及び、中竿の竿先端部を覆う作用姿勢と、周壁８Ｂを捲り上げ底壁８Ａに沿った平板状に縮小する非作用姿勢とに切り換え可能に構成してある。【選択図】        図２
2008125442.tif 000002
【特許請求の範囲】
【請求項１】
穂先竿、及び、中竿を元竿に収納した状態でその元竿の開口を閉塞する振出竿用口栓であって、
周壁と、その周壁の軸線方向の一端を閉塞する底壁と、周壁の軸線方向の他端を開口とした筒状体に構成するとともに、前記収納状態の穂先竿、及び、前記中竿の竿先端部を覆う作用姿勢と、前記周壁を捲り上げ前記底壁に沿った平板状に縮小する非作用姿勢とに切り換え可能に構成してある振出竿用口栓。
【請求項２】
前記元竿の竿尻端に形成したグリップ部に被着可能な請求項１記載の振出竿用口栓。
【請求項３】
前記振出竿が前記中竿を前記元竿内に収納した状態で、その収納状態を保持可能な伸縮式の竿に構成されている請求項１または２記載の振出竿用口栓。
【請求項４】
前記振出竿用口栓を備えた請求項１から３のうちのいずれか一つに記載の釣り竿。
【発明の詳細な説明】
【技術分野】
【０００１】
本発明は、穂先竿、及び、中竿を元竿に収納した状態でその元竿の開口を閉塞する振出竿用口栓に関する。
【背景技術】
【０００２】
振出竿用口栓は、ゴム等を原材料として筒状に形成されていた（特許文献１参照）。
【０００３】
【特許文献１】実開平５−８２２７２号公報（段落番号〔００１１〕、及び、図１）
【発明の開示】
【発明が解決しようとする課題】
【０００４】
振出竿用口栓は、ゴム等を原材料として筒状に形成されていても変形性が低く、元竿から取り外した状態では、釣り人がポケット等に収納するには大き過ぎ、仕舞い処理に苦慮していた。
【０００５】
本発明の目的は、口栓としての変形性を大きくし、仕舞い処理を円滑に行える振出竿用口栓を提供する点にある。
【課題を解決するための手段】
【０００６】
〔構成〕
請求項１に係る発明の特徴構成は、周壁と、その周壁の軸線方向の一端を閉塞する底壁と、周壁の軸線方向の他端を開口とした筒状体に構成するとともに、前記収納状態の穂先竿、及び、前記中竿の竿先端部を覆う作用姿勢と、前記周壁を捲り上げ前記底壁に沿った平板状に縮小する非作用姿勢とに切り換え可能に構成してある点にあり、その作用効果は次の通りである。
【０００７】
〔作用〕
口栓を元竿から取り外した状態で、その口栓の周壁を捲り上げ底壁に沿った平板状にまで縮小することができるので、収納時に占有スペースを小さくでき、収納スペースを見出し易い。
【０００８】
〔効果〕
したがって、元竿に収納する中竿の竿先端部分を被覆するのに十分な大きさのものにしながら、仕舞い時には縮小することが可能であり、占有スペースを小さくでき、仕舞い処理が容易になる。
【０００９】
請求項２に係る発明の特徴構成は、請求項１に係る発明において、振出竿用口栓が前記元竿の竿尻端に形成したグリップ部に被着可能な点にあり、その作用効果は次の通りである。
【００１０】
〔作用効果〕
つまり、口栓を元竿の竿先端ではなく、竿尻端に形成したグリップ部に被着することによって、口栓を直接握ることとなり、捲り上げることのできるほど変形性の高い周壁が握る手に馴染んで、グリップ部を握る手の感触が向上する。
しかも、口栓をグリップ部に被着することによって、釣り操作を行うことができるので、口栓の仕舞い処理することについて意を配する必要がなく、仕舞い処理に係る負担が軽減する。
【００１１】
請求項３に係る発明の特徴構成は、請求項１又は２に係る発明において、前記振出竿が前記中竿を前記元竿内に収納した状態で、その収納状態を保持可能な伸縮式の竿に構成されている点にあり、その作用効果は次の通りである。
【００１２】
〔作用効果〕
振出竿が伸縮式竿であるので、中竿を大径側の竿体に収納した収納状態であれば、その状態が保持されるものであるが、釣り場を移動する途中で振動等を受けて収納状態に緩みが生じそうになったとしても、口栓が元竿とその元竿に収納された中竿の竿先端を覆っているので、中竿等が伸長する状態に作動せず、不測の事態を未然に回避できる。
【００１３】
請求項４に係る発明の特徴構成は、請求項１〜３の内のいずれか一つに係る発明において、釣り竿が前記振出竿用口栓を備えた点にあり、その作用効果は次の通りである。
【００１４】
〔作用効果〕
このように口栓を備えることによって、穂先竿、中竿を元竿内に収納した状態での持ち運びが容易になり、かつ、口栓の仕舞い処理にも苦慮することがない釣り竿を提供できるに至った。
【発明を実施するための最良の形態】
【００１５】
渓流竿Ａについて説明する。図１に示すように、釣り糸ａを連結するリリアン等の糸連結具を備えた穂先竿１、二番竿２から元上３までの中竿、元竿４を振出式に繋いで、渓流竿Ａを構成してある。
【００１６】
図３に示すように、元竿４の竿尻端開口に元上３の後端膨出部３Ａを内嵌保持するゴム製の弾性保持体５を装入装着するとともに、弾性保持体５の竿尻側開口に尻栓６を螺着してある。
弾性保持体５の竿先側端から竿尻側に向けて、弾性保持体５の軸線に向かう複数の突起部５Ａを内周複数箇所に設けてあり、この突起部５Ａで元上３の後端膨出部３Ａを内嵌保持すべく構成してある。
【００１７】
図中７は、中竿等を受け止める座ゴムである。
また、釣り竿として伸縮構造を採用するのに、元竿４と元上３とで伸縮構造を適用する例を提示したが、元竿４と元上３との伸縮構造だけでなく、各中竿の間で伸縮構造を適用して、多段式の伸縮構造を構成してもよい。
【００１８】
口栓８について説明する。図２（イ）〜（ハ）に示すように、口栓８は、底壁８Ａとその底壁８Ａから軸線に沿って一方向に延出される周壁８Ｂとで構成され、底壁８Ａは厚板に構成されている。周壁８Ｂは底壁８Ａより厚みの薄いものであり、底壁８Ａとの連結部位から底壁８Ａと対向する開口に向けて拡径する傾斜壁面に形成されている。周壁８Ｂの前記開口の縁部８ｂは厚みの厚い部分となっている。
【００１９】
口栓８の材料としては、ニトリルゴム、クロロプレンゴム等の弾性変形性の高い軟質ゴムで構成してある。そのような構成になる口栓８で竿先端を覆うものである。つまり、図１（ロ）に示すように、穂先竿１、中竿を元竿４内に収納した状態で穂先竿１、中竿の竿先端が大径側竿体の玉口部分より覗いた部分を覆うように、図１（ハ）に示すように、口栓８の開口縁８ｂが元竿４の外周面に至るまで、その口栓８を被せる。これによって、渓流竿Ａを持ち運ぶ際に、不測に中竿等が元竿４から飛び出すことを防止できる。
このように、口栓８で元竿４に収納された穂先竿１等の竿先端を覆う状態を、口栓８の作用姿勢と称する。
【００２０】
口栓８を元竿４に装着した状態で、穂先竿１に連結した釣り糸ａは、図１（ハ）に示すように、口栓８の内面と、元竿４に収納されている穂先竿１、中竿、及びその元竿４の竿先端との間を介して口栓８の開口縁８ｂから外部に表出する。これによって、釣り糸ａの先端に取り付けている釣り針９をこの口栓８に引っ掛け係止することができ、仕掛けの処理が容易になる。
【００２１】
次に、口栓８を元竿４から取り外して非作用姿勢に切り換える状態を説明する。口栓８は前記したように、軟質ゴム製のものであるので、図１（ロ）に示すように、口栓８を元竿４より取外す際に、または、取り外した後に、口栓８の開口縁８ｂを外向きに捲り上げるように折り返すことによって、口栓８の軸線方向長さを徐々に短くすることができる。
【００２２】
このように、周壁８Ｂを捲り上げることができるのは、底壁８Ａに比べて周壁８Ｂの肉厚を薄くしてあるからである。そして、この捲り上げを続け、最終的には、図１（イ）に示すように、周壁８Ｂを底壁８Ａの外周縁部位に位置させることができ、底壁８Ａと周壁８Ｂとが略平板状を呈する状態に縮小させることが可能になり、釣り人がポケット等に納めることができる。
このように、口栓８を縮小させてポケット等に収納し易くなっているので、口栓８の仕舞い処理に苦慮することがなくなった。
【００２３】
口栓８の仕舞い処理を行う方法としては、次ぎのような方法が考えられる。図４に示すように、釣り場へ移動する際に元竿４の竿先端部位に取り付けていた口栓８を取外し、その取り外した口栓８を元竿４の竿尻端のグリップ部４Ａに外嵌装着する。
これによって、軟質ゴムを材料として製作されている口栓８がその弾性変形性を発揮し、グリップ部４Ａを握り易いものにすることができ、握る手のフィット感を向上させる。
しかも、口栓８をグリップ部４Ａに装着できるので、口栓８の仕舞い場所を他に見出す必要はなく、仕舞い処理にも苦慮する必要はない。
【００２４】
〔別実施形態〕
（１）口栓８としては、次のような構成を採ってもよい。図５に示すように、底壁８Ａと周壁８Ｂとからなる口栓８において、周壁８Ｂの外周面に突条８ａを形成してもよい。突条８ａとしては、円周方向に沿って全周に亘って設けてもよく、或いは、螺旋状に形成してもよく、または、円周方向と軸線方向とに配置して交差する状態を現出してもよい。
【００２５】
周壁８Ｂに突条８ａを形成したので、次ぎのような効果や使い方が可能である。突条８ａが周壁８Ｂの外周面より突出しているので、手でこの口栓８を握った場合に滑り難く、グリップ部４Ａに装着した場合に手が滑り難く握りのフィット感が一層向上する。
【００２６】
また、元竿４内に穂先竿１等の収納した状態で口栓８を元竿４の竿先端に装着する場合に、突条８ａ部分に指を掛けて押し込むことができるので、装着するのも容易に行えるようになる。
更に、釣り針９を口栓８の周壁８Ｂに係止する点について設明したが、この突条８ａが周壁８Ｂの外周面より突出しているので、釣り針を係止するのを容易に行うことができる。
【００２７】
（２）上記実施形態においては、周壁８Ｂの厚さを底壁８Ａより薄いものとしたが、口栓８を形成する素材が縁部８ｂを捲れる程度に軟質なものであれば、周壁８Ｂの厚さを底壁８Ａと同等のものとしてもよい。
【図面の簡単な説明】
【００２８】
【図１】渓流竿の全体側面図
【図２】（イ）穂先竿、中竿等を元竿内に収納し、口栓を捲り上げて平面状態に設定した状態を示す側面図、（ロ）口栓を縁部から捲り上げていく途中の状態を示す縦断側面図、（ハ）口栓を元竿の竿先端に装着した状態を示す縦断側面図
【図３】元上を元竿に収納して保持する前の状態を示す縦断側面図
【図４】口栓を元竿の竿尻端のグリップ部に被着した状態を示す縦断側面図
【図５】口栓の周壁に突条を設けた状態を示す縦断側面図
【符号の説明】
【００２９】
１            穂先竿
４            元竿
４Ａ          グリップ部
８            口栓
８Ａ          底壁
８Ｂ          周壁
【図１】
2008125442.tif 000003
【図２】
2008125442.tif 000004
【図３】
2008125442.tif 000005
【図４】
2008125442.tif 000006
【図５】
2008125442.tif 000007